【手続補正書】
【提出日】平成24年5月16日(2012.5.16)
【手続補正１】
【補正対象書類名】明細書
【補正対象項目名】発明の名称
【補正方法】変更
【補正の内容】
【発明の名称】水洗式便器の施工方法及び水洗式便器
【手続補正２】
【補正対象書類名】明細書
【補正対象項目名】０００１
【補正方法】変更
【補正の内容】
【０００１】
本発明は水洗式便器の施工方法及び水洗式便器に関する。
【手続補正３】
【補正対象書類名】明細書
【補正対象項目名】０００６
【補正方法】変更
【補正の内容】
【０００６】
本発明は、上記従来の実情に鑑みてなされたものであって、容易に施工することができる耐火仕様の水洗式便器の施工方法及び水洗式便器を提供することを解決すべき課題としている。
【手続補正４】
【補正対象書類名】明細書
【補正対象項目名】０００７
【補正方法】変更
【補正の内容】
【０００７】
第１発明の水洗式便器の施工方法は、上方に開口する便鉢部と、この便鉢部の下流側に接続された便器排水管部と、この便器排水管部の下流端開口が内部に位置し、下方を開放した開口部を側面に貫設した台座部とを有しており、不燃材料により形成された便器本体と、
下流端が横方向に開口した流出管部を有しており、前記下流端開口と、前記便器本体が設置されるトイレ室に引き出され、横方向に延びた排水管の横方向に開口した上流端開口とを連通する排水接続部材と、
外形が前記開口部に沿った形状に形成され、前記排水接続部材を挿通する挿通口が貫設されており、外周面の左右側面及び上面に設けられ、前記開口部を塞いだ際に前記開口部との間で挟み込まれる軟質性の不燃材料からなる第１シール部材を有した遮蔽部材とを備えた水洗式便器の施工方法であって、
前記挿通口に前記排水接続部材を挿通した状態で前記排水接続部材を前記排水管の上流端開口に接続する第１工程と、
第１工程後、前記排水接続部材を床面に固定する第２工程と、
第２工程後、前記便器排水管部の下流端開口を前記排水接続部材に接続しつつ、前記遮蔽部材に対して前記開口部が整合するように前記便器本体を前記排水接続部材の上方から下降させ、前記第１シール部材を前記開口部との間で挟み込み、前記開口部を塞ぐ第３工程と、
第３工程後、前記便器本体を前記床面に固定する第４工程とを有していることを特徴とする。
また、この施工方法に適応した水洗式便器は、上方に開口する便鉢部と、この便鉢部の下流側に接続された便器排水管部と、この便器排水管部の下流端開口が内部に位置し、下方を開放した開口部を側面に貫設した台座部とを有しており、不燃材料により形成された便器本体と、
下流端が横方向に開口した流出管部を有しており、前記下流端開口と、前記便器本体が設置されるトイレ室に引き出され、横方向に延びた排水管の横方向に開口した上流端開口とを連通する排水接続部材と、
外形が前記開口部に沿った形状に形成され、前記排水接続部材を挿通する挿通口が貫設されており、外周面の左右側面及び上面に設けられ、前記開口部を塞いだ際に前記開口部との間で挟み込まれる軟質性の不燃材料からなる第１シール部材を有した遮蔽部材とを備えていることを特徴とする。
また、第２発明の水洗式便器の施工方法は、上方に開口する便鉢部と、この便鉢部の下流側に接続された便器排水管部と、この便器排水管部の下流端開口が内部に位置し、下方を開放した開口部を側面に貫設した台座部とを有しており、不燃材料により形成された便器本体と、
下流端が横方向に開口した流出管部を有しており、前記下流端開口と、前記便器本体が設置されるトイレ室に引き出され、横方向に延びた排水管の横方向に開口した上流端開口とを連通する排水接続部材と、
挿通口が貫設され、内側面に軟質性の不燃材料からなる第３シール部材を有した遮蔽部材とを備えた水洗式便器の施工方法であって、
前記挿通口に前記排水管を挿通した状態で前記排水接続部材を前記排水管の上流端開口に接続する第１工程と、
第１工程後、前記排水接続部材を床面に固定する第２工程と、
第２工程後、前記便器排水管部の下流端開口を前記排水接続部材に接続するように前記便器本体を前記排水接続部材の上方から下降させる第３工程と、
第３工程後、前記便器本体を前記床面に固定する第４工程と、
第４工程後、前記遮蔽部材を前記台座部の外周面に重なるように移動させて、前記第３シール部材を前記遮蔽部材と前記開口部の周縁部の外側面との間に挟み込み、前記開口部を塞ぐ第５工程を有していることを特徴とする。
【手続補正５】
【補正対象書類名】明細書
【補正対象項目名】０００８
【補正方法】変更
【補正の内容】
【０００８】
この水洗式便器は台座部に貫設された開口部が遮蔽部材によって塞がれる。つまり、樹脂製の排水接続部材が不燃材料である台座部及び遮蔽部材によって覆われる。このため、この水洗式便器を耐火仕様にすることができる。また、排水接続部材によって便器排水管部の下端開口とトイレ室に引き出された排水管の上端開口とを容易に連通することができる。
【手続補正６】
【補正対象書類名】明細書
【補正対象項目名】０００９
【補正方法】変更
【補正の内容】
【０００９】
したがって、第１発明及び第２発明の水洗式便器の施工方法及び第１発明の施工方法に適応した水洗式便器は、容易に施工することができ、耐火仕様にすることができる。
【手続補正７】
【補正対象書類名】明細書
【補正対象項目名】００１０
【補正方法】変更
【補正の内容】
【００１０】
前記排水接続部材は、下流端が横方向に開口した流出管部を有しており、横方向に延び、上流端開口が横方向に開口した前記排水管に対して接続可能であり、前記開口部を塞ぐ遮蔽部材には挿通口が貫設され、排水接続部材又は排水管を挿通可能である。この場合、水洗式便器が設置される床面より上方で横方向に延びる排水管に対して接続可能な耐火仕様の水洗式便器を構成することができる。
【手続補正８】
【補正対象書類名】明細書
【補正対象項目名】００１２
【補正方法】変更
【補正の内容】
【００１２】
前記開口部は前記便器本体に形成された前記台座部に下方を開放して形成されており、
この開口部を塞ぐ遮蔽部材は、外形が開口部に沿った形状に形成され、外周面の左右側面及び上面に設けられ、開口部を塞いだ際に開口部との間で挟み込まれる軟質性の不燃材料からなる第１シール部材を有している。
【手続補正９】
【補正対象書類名】明細書
【補正対象項目名】００１７
【補正方法】変更
【補正の内容】
【００１７】
前記開口部を塞ぐ遮蔽部材の挿通口には前記排水管が挿通されており、
この遮蔽部材は、内側面に設けられ、開口部を塞いだ際に開口部の周縁部の外側面との間で挟みこまれる軟質性の不燃材料からなる第３シール部材を有している。
【手続補正１０】
【補正対象書類名】明細書
【補正対象項目名】００１９
【補正方法】変更
【補正の内容】
【００１９】
【図１】実施例１の水洗式便器の断面図である。
【図２】実施例１の排水接続部材に遮蔽部材が取り付けられた状態を示す斜視図である。
【図３】実施例１の施工手順を示す斜視図である。
【図４】実施例１の施工手順を示す斜視図である。
【図５】実施例１の水洗式便器が施工された状態を示す斜視図である。
【図６】実施例２の水洗式便器が施工された状態を示す斜視図である。
【図７】実施例２の遮蔽部材を示す斜視図である。
【図８】実施例２の遮蔽部材を示す斜視図である。
【図９】参考例の遮蔽部材に囲包された排水接続部材を示す斜視図である。
【図１０】参考例の遮蔽部材に囲包された排水接続部材を示す断面図である。
【手続補正１１】
【補正対象書類名】明細書
【補正対象項目名】００２０
【補正方法】変更
【補正の内容】
【００２０】
本発明の水洗式便器を具体化した実施例１及び２を図面を参照しつつ説明する。
【手続補正１２】
【補正対象書類名】明細書
【補正対象項目名】００４６
【補正方法】変更
【補正の内容】
【００４６】
＜参考例＞
参考例の水洗式便器は、図９及び図１０に示すように、樹脂製の排水接続部材２０の接続管部２１を囲包するステンレス製の遮蔽部材６０を備えている。その他の構成については、実施例１等と同様であり、同一の構成については同一の符号を付し詳細な説明を省略する。
【手続補正１３】
【補正対象書類名】明細書
【補正対象項目名】００４８
【補正方法】変更
【補正の内容】
【００４８】
このように構成された参考例の水洗式便器の施工手順について説明する。
【手続補正１４】
【補正対象書類名】明細書
【補正対象項目名】００５０
【補正方法】変更
【補正の内容】
【００５０】
したがって、参考例の水洗式便器も、容易に施工することができ、耐火仕様にすることができる。
【手続補正１５】
【補正対象書類名】明細書
【補正対象項目名】００５１
【補正方法】変更
【補正の内容】
【００５１】
本発明は、上記記述及び図面によって説明した実施例１及び２に限定されるものではなく、例えば次のような実施例も本発明の技術的範囲に含まれる。
（１）実施例１では、遮蔽部材が排水接続部材に取り付けられ、床面に固定されていたが、遮蔽部材を排水接続部材に取り付けずに、別途床面等に固定してもよい。
（２）実施例１、２では、シール部材をグラスウール製のものにしたが、ロックウール製、セラミックウール製等のものにしてもよい。
（３）実施例１、２では、耐火二層管に対して排水接続部材を接続したが、鋼管に対しても排水接続部材を接続することができる。
（４）実施例１、２では、遮蔽部材をステンレス製で形成したが、鉄等の他の金属性、セラミック製、コンクリート製のものでもよい。
（５）実施例１、２では、排水接続部材を排水管に直接的に接続したが、アダプタを介して接続しても良い。この場合、排水接続部材と排水管とが位置ずれしたり、排水接続部材の管径と排水管の管径とが異なったりした場合でも、排水接続部材と排水管とを接続することができる。
【手続補正１６】
【補正対象書類名】特許請求の範囲
【補正対象項目名】全文
【補正方法】変更
【補正の内容】
【特許請求の範囲】
【請求項１】
上方に開口する便鉢部と、この便鉢部の下流側に接続された便器排水管部と、この便器排水管部の下流端開口が内部に位置し、下方を開放した開口部を側面に貫設した台座部とを有しており、不燃材料により形成された便器本体と、
下流端が横方向に開口した流出管部を有しており、前記下流端開口と、前記便器本体が設置されるトイレ室に引き出され、横方向に延びた排水管の横方向に開口した上流端開口とを連通する排水接続部材と、
外形が前記開口部に沿った形状に形成され、前記排水接続部材を挿通する挿通口が貫設されており、外周面の左右側面及び上面に設けられ、前記開口部を塞いだ際に前記開口部との間で挟み込まれる軟質性の不燃材料からなる第１シール部材を有した遮蔽部材とを備えた水洗式便器の施工方法であって、
前記挿通口に前記排水接続部材を挿通した状態で前記排水接続部材を前記排水管の上流端開口に接続する第１工程と、
第１工程後、前記排水接続部材を床面に固定する第２工程と、
第２工程後、前記便器排水管部の下流端開口を前記排水接続部材に接続しつつ、前記遮蔽部材に対して前記開口部が整合するように前記便器本体を前記排水接続部材の上方から下降させ、前記第１シール部材を前記開口部との間で挟み込み、前記開口部を塞ぐ第３工程と、
第３工程後、前記便器本体を前記床面に固定する第４工程とを有していることを特徴とする水洗式便器の施工方法。
【請求項２】
上方に開口する便鉢部と、この便鉢部の下流側に接続された便器排水管部と、この便器排水管部の下流端開口が内部に位置し、下方を開放した開口部を側面に貫設した台座部とを有しており、不燃材料により形成された便器本体と、
下流端が横方向に開口した流出管部を有しており、前記下流端開口と、前記便器本体が設置されるトイレ室に引き出され、横方向に延びた排水管の横方向に開口した上流端開口とを連通する排水接続部材と、
挿通口が貫設され、内側面に軟質性の不燃材料からなる第３シール部材を有した遮蔽部材とを備えた水洗式便器の施工方法であって、
前記挿通口に前記排水管を挿通した状態で前記排水接続部材を前記排水管の上流端開口に接続する第１工程と、
第１工程後、前記排水接続部材を床面に固定する第２工程と、
第２工程後、前記便器排水管部の下流端開口を前記排水接続部材に接続するように前記便器本体を前記排水接続部材の上方から下降させる第３工程と、
第３工程後、前記便器本体を前記床面に固定する第４工程と、
第４工程後、前記遮蔽部材を前記台座部の外周面に重なるように移動させて、前記第３シール部材を前記遮蔽部材と前記開口部の周縁部の外側面との間に挟み込み、前記開口部を塞ぐ第５工程を有していることを特徴とする水洗式便器の施工方法。
【請求項３】
上方に開口する便鉢部と、この便鉢部の下流側に接続された便器排水管部と、この便器排水管部の下流端開口が内部に位置し、下方を開放した開口部を側面に貫設した台座部とを有しており、不燃材料により形成された便器本体と、
下流端が横方向に開口した流出管部を有しており、前記下流端開口と、前記便器本体が設置されるトイレ室に引き出され、横方向に延びた排水管の横方向に開口した上流端開口とを連通する排水接続部材と、
外形が前記開口部に沿った形状に形成され、前記排水接続部材を挿通する挿通口が貫設されており、外周面の左右側面及び上面に設けられ、前記開口部を塞いだ際に前記開口部との間で挟み込まれる軟質性の不燃材料からなる第１シール部材を有した遮蔽部材とを備えていることを特徴とする水洗式便器。